(57)【特許請求の範囲】
【請求項１】
暗証番号入力を要さずに解除可能な第１の防犯モードと、解除に暗証番号入力を要する第２の防犯モードとを有する防犯装置であって、第１の防犯モードの設定および解除を行う第１の防犯モード入力手段と、第２の防犯モードの設定を行う第２の防犯モード入力手段と、暗証番号を入力する暗証番号入力手段と、前記第１または第２の防犯モード設定中に防犯センサの作動を検知すると外部に警報を発し、前記暗証番号入力手段から所定の暗証番号が入力され、かつ第１の防犯モード入力手段が操作されることで第２の防犯モードの解除を行う制御手段と、を備えることを特徴とする防犯装置。
【請求項２】
暗証番号入力を要さずに解除可能な第１の防犯モードと、解除に暗証番号入力を要する第２の防犯モードとを有する防犯装置であって、第１の防犯モードの設定および解除を行う第１の防犯モード入力手段と、第２の防犯モードの設定および解除を行う第２の防犯モード入力手段と、暗証番号を入力する暗証番号入力手段と、前記第１または第２の防犯モード設定中に防犯センサの作動を検知すると外部に警報を発し、前記第２の防犯モード設定中に前記防犯センサが作動した後は、前記暗証番号入力手段から所定の暗証番号が入力され、かつ第１の防犯モード入力手段が操作されることで第２の防犯モードの解除を行う制御手段と、を備えることを特徴とする防犯装置。
【請求項３】
暗証番号入力を要さずに解除可能な第１の防犯モードと、解除に暗証番号入力を要する第２の防犯モードとを有する防犯装置であって、第１の防犯モードの設定および解除を行う第１の防犯モード入力手段と、第２の防犯モードの設定を行う第２の防犯モード入力手段と、暗証番号を入力する暗証番号入力手段と、前記暗証番号を登録する暗証番号登録手段と、前記第１または第２の防犯モード設定中に防犯センサの作動を検知すると外部に警報を発し、前記暗証番号入力手段から所定の暗証番号が入力され、かつ第１の防犯モード入力手段が操作されることで第２の防犯モードの解除を行い、前記第２の防犯モード設定中に前記防犯センサが作動した後は前記暗証番号登録手段による暗証番号の登録を禁止する制御手段と、を備えることを特徴とする防犯装置。
【請求項４】
制御手段は、防犯モード設定後一定時間遅延してから防犯センサの作動を検出することを特徴とする請求項１〜３いずれか記載の防犯装置。
【請求項５】
制御手段は、防犯センサ作動後一定時間遅延してから警報を発することを特徴とする請求項１〜３いずれか記載の防犯装置。
【請求項６】
制御手段は、第２の防犯モード設定中に防犯センサが作動した後に暗証番号入力手段から不正な暗証番号が所定の回数入力されたときに、暗証番号の登録を禁止することを特徴とする請求項３記載の防犯装置。
【発明の詳細な説明】
【０００１】
【発明の属する技術分野】
本発明は、建物のドアや窓等に防犯センサを取り付け、この防犯センサの作動を検知して警報を発する防犯装置に関するものである。
【０００２】
【従来の技術】
従来、建物のドアや窓に防犯センサを取り付け、この防犯センサの作動を検知して警報を発する防犯装置が知られている。防犯センサとしてはマグネットセンサや熱線センサ、ガラス破壊センサなどがある。
【０００３】
マグネットセンサはスイッチ素子の内蔵されたスイッチ体と磁石の内蔵されたマグネット体とからなり、スイッチ体を建物本体に取り付け、マグネット体をドアまたは窓に取り付け、ドア等が閉じているときはスイッチ体とマグネット体とが近接しているためスイッチ素子がオフし、ドア等が開くとスイッチ体とマグネット体とが離れるためスイッチ素子がオンし、これによってドア等が開いたことを検知するものである。
【０００４】
このスイッチ素子のオン／オフは本体装置で検出され、防犯モード設定中にドア等が開いたことを検出すると、本体装置はブザーなどを鳴動して外部に警報を発する。集合住宅やオフィスビルなどの場合は、管理事務所や警備会社にも通報する。
【０００５】
【発明が解決しようとする課題】
ところで、防犯装置は設定および解除が比較的簡易な使い勝手のよい防犯モードと、例えば暗証番号を入力するなど解除が比較的困難な防犯モードとが選択できることが望ましい。
【０００６】
家人が夜寝るときなどは設定および解除が簡易な防犯モードを使用した方が使い勝手がよい。朝起きて防犯モードを解除するのに、いちいち暗証番号を入力するのは煩わしいからである。
【０００７】
これに対して、家人が外出するときなどは、例えば暗証番号を入力しなければ防犯モードを解除することができないなど、解除がある程度の困難な方が安心して外出することができる。
【０００８】
本発明は、このような従来の課題を解決するためになされたもので、設定および解除が比較的簡易な防犯モードと、解除が比較的困難な防犯モードとを有する新たな防犯装置を提供することを目的とする。
【０００９】
【課題を解決するための手段】
本発明の防犯装置は、暗証番号入力を要さずに解除可能な第１の防犯モードと、解除に暗証番号入力を要する第２の防犯モードとを有する防犯装置であって、第１の防犯モードの設定および解除を行う第１の防犯モード入力手段と、第２の防犯モードの設定を行う第２の防犯モード入力手段と、暗証番号を入力する暗証番号入力手段と、第１または第２の防犯モード設定中に防犯センサの作動を検知すると外部に警報を発し、暗証番号入力手段から所定の暗証番号が入力され、かつ第１の防犯モード入力手段が操作されることで第２の防犯モードの解除を行う制御手段とを備える。
【００１０】
本発明によれば、設定および解除が比較的簡易な第１の防犯モードと、解除が比較的困難な第２の防犯モードとを有する新たな防犯装置が得られる。
【００１１】
【発明の実施の形態】
本発明の請求項１に記載の発明は、暗証番号入力を要さずに解除可能な第１の防犯モードと、解除に暗証番号入力を要する第２の防犯モードとを有する防犯装置であって、第１の防犯モードの設定および解除を行う第１の防犯モード入力手段と、第２の防犯モードの設定を行う第２の防犯モード入力手段と、暗証番号を入力する暗証番号入力手段と、第１または第２の防犯モード設定中に防犯センサの作動を検知すると外部に警報を発し、暗証番号入力手段から所定の暗証番号が入力され、かつ第１の防犯モード入力手段が操作されることで第２の防犯モードの解除を行う制御手段とを備え、設定および解除が比較的簡易な第１の防犯モードと、暗証番号の入力によって解除される比較的解除が困難な第２の防犯モードとを選択できる。
【００１２】
請求項２に記載の発明は、暗証番号入力を要さずに解除可能な第１の防犯モードと、解除に暗証番号入力を要する第２の防犯モードとを有する防犯装置であって、第１の防犯モードの設定および解除を行う第１の防犯モード入力手段と、第２の防犯モードの設定および解除を行う第２の防犯モード入力手段と、暗証番号を入力する暗証番号入力手段と、第１または第２の防犯モード設定中に防犯センサの作動を検知すると外部に警報を発し、第２の防犯モード設定中に防犯センサが作動した後は、暗証番号入力手段から所定の暗証番号が入力され、かつ第１の防犯モード入力手段が操作されることで第２の防犯モードの解除を行う制御手段とを備え、設定および解除が比較的簡易な第１の防犯モードと、防犯センサが作動した後は暗証番号の入力によって解除される比較的解除が困難な第２の防犯モードとを選択することができる。
【００１３】
請求項３に記載の発明は、暗証番号入力を要さずに解除可能な第１の防犯モードと、解除に暗証番号入力を要する第２の防犯モードとを有する防犯装置であって、第１の防犯モードの設定および解除を行う第１の防犯モード入力手段と、第２の防犯モードの設定を行う第２の防犯モード入力手段と、暗証番号を入力する暗証番号入力手段と、暗証番号を登録する暗証番号登録手段と、第１または第２の防犯モード設定中に防犯センサの作動を検知すると外部に警報を発し、暗証番号入力手段から所定の暗証番号が入力され、かつ第１の防犯モード入力手段が操作されることで第２の防犯モードの解除を行い、第２の防犯モード設定中に防犯センサが作動した後は暗証番号登録手段による暗証番号の登録を禁止する制御手段とを備え、設定および解除が比較的簡易な第１の防犯モードと、暗証番号の入力によって解除される比較的解除が困難な第２の防犯モードとを選択することができ、暗証番号の登録は第２の防犯モード設定中に防犯センサが作動した後は侵入者による変更登録を考慮して禁止する。
【００１４】
請求項４に記載の発明は、請求項１〜３いずれか記載の発明において、制御手段は防犯モード設定後一定時間遅延してから防犯センサの作動を検出するものであり、玄関ドアのような家人が出入りする場所に取り付けたセンサは、家人の出入りを考慮して一定時間遅延してから作動するようにし、家人は防犯モードの設定後、この遅延時間内に外出することができる。
【００１５】
請求項５に記載の発明は、請求項１〜３いずれか記載の発明において、制御手段は防犯センサ作動後一定時間遅延してから警報を発するもので、玄関ドアのような家人が出入りする場所に取り付けたセンサによる警報は、家人の出入りを考慮して一定時間遅延してから作動するようにし、家人はこの遅延時間内に防犯モードを解除することができる。
【００１７】
請求項６に記載の発明は、請求項３記載の発明において、制御手段は第２の防犯モード設定中に防犯センサが作動した後に暗証番号入力手段から不正な暗証番号が所定の回数入力されたときは、暗証番号の登録を禁止するもので、侵入者による操作を考慮して暗証番号の変更登録を禁止する。
【００１８】
以下、本発明の実施の形態について、図１〜図１１を用いて説明する。
【００１９】
図１は本発明による防犯装置の一実施の形態を示すブロック図を示し、図２はその操作パネルの正面図を示す。本実施の形態による防犯装置１は内部にコンピュータ装置を内蔵した制御部２によって制御されるように構成されている。
【００２０】
制御部２は複数の防犯センサ３が接続されたセンサ入力部４と、外部に警報音を発するブザー５が接続された警報音出力部６と、防犯１モードの設定／解除を行う防犯１キー７と、防犯２モードの設定／解除を行う防犯２キー８と、所定の条件が満たされると自動的に防犯外出モードに設定する主に外出時に用いる外出キー９と、「０」〜「９」の数字キーからなり主に暗証番号を入力するテンキー１０と、防犯外出モードを解除する暗証番号を登録する暗証番号登録モードの設定／解除を行う暗証キー１１と、登録した暗証番号を記憶する暗証番号メモリ１２とにそれぞれ接続されている。
【００２１】
防犯センサ３は、例えば前述したマグネットセンサを用いており、建物のドアや窓に設置されている。センサ入力部４は複数の防犯センサ３の中でどのセンサが作動したかを検出し、その検出結果を制御部２に通知する。
【００２２】
防犯１キー７は主に窓などに取り付けた防犯センサ３に対するもので、防犯センサ３が作動すると直ちに警報音を発する防犯１モードの設定／解除を行うための操作子である。
【００２３】
防犯２キー８は主に家人が出入りする玄関ドアなどに取り付けた防犯センサ３に対するもので、防犯モードの設定後、一定時間遅延してから起動し、かつ防犯センサ３が作動しても一定時間遅延してから警報音を発する防犯２モードの設定／解除を行うための操作子である。家人はこの遅延時間を利用して外出時および帰宅時に防犯モードの設定／解除を行うことができる。
【００２４】
外出キー９は操作後に所定の条件が満たされると、例えば一定時間が経過すると、防犯外出モードに設定する操作子である。防犯外出モードは防犯１モードと防犯２モードとを同時に設定するモードで、テンキー１０から暗証番号が入力されることで解除されるモードである。
【００２５】
なお、防犯１モードおよび防犯２モードが第１の防犯モードに相当し、防犯外出モードが第２の防犯モードに相当する。また、防犯１キー７および防犯２キー８が第１の防犯モード入力手段に相当し、外出キー９が第２の防犯モード入力手段に相当する。また、テンキー１０が暗証番号入力手段に相当し、テンキー１０および暗証キー１１が暗証番号登録手段に相当する。
【００２６】
次に、図３〜図１１に示すフローチャート図を参照しながら、本実施の形態の動作について説明する。
【００２７】
（防犯１キーの押下）
まず、図３に示すフローチャート図を参照して防犯１キー７が押下された場合の動作について説明する。防犯１キー７は防犯１モードの設定および解除を行うための操作子である。
【００２８】
制御部２は防犯１キー７が押下されたことを検出すると、すでに防犯１モードに設定されているか判断する（ステップＳ１１）。設定されていなければ、防犯外出モードに設定されているか判断する（ステップＳ１２）。このモードにも設定されていなければ防犯１モードに設定する（ステップＳ１３）。
【００２９】
既に防犯１モードに設定されている場合は、防犯１キー７が再押下されたことになるので、防犯１モードを解除する（ステップＳ１４）。警報音が発生している場合は停止する。防犯外出モードに設定されている場合は、防犯１モードの設定は行わず処理を終了する。
【００３０】
（防犯２キーの押下）
次に、図４に示すフローチャート図を参照して防犯２キー８が押下された場合の動作について説明する。防犯２キー８は防犯２モードの設定および解除を行うための操作子である。
【００３１】
制御部２は防犯２キー８が押下されたことを検出すると、すでに防犯２モードに設定されているか判断する（ステップＳ２１）。設定されていなければ、防犯外出モードに設定されているか判断する（ステップＳ２２）。このモードにも設定されていなければ防犯２モードに設定し（ステップＳ２３）、かつ起動タイマーをセットする（ステップＳ２４）。
【００３２】
起動タイマーは設定してから一定時間後に防犯モードを起動するためのタイマーで、防犯センサー３が玄関ドアに取り付けられている場合は、家人はこの遅延時間内に外に出ることができる。
【００３３】
既に防犯２モードに設定されている場合は、防犯２キー８が再押下されたことになるので、防犯２モードを解除する（ステップＳ２５）。警報音が発生している場合は停止し、起動タイマーや後述する警報タイマーがセットされている場合はリセットする。
【００３４】
防犯外出モードが設定されている場合は、防犯２モードの設定は行わず処理を終了する。このように、防犯１モードと防犯２モードとは同時に設定することができるが、防犯外出モードとは同時に設定できないようになっている。
【００３５】
（外出キーの押下）
次に、図５に示すフローチャート図を参照して外出キー９が押下された場合の動作について説明する。外出キー９は防犯外出モードを設定するための操作子である。
【００３６】
制御部２は外出キー９が押下されたことを検出すると、すでに防犯外出モードが設定されているか判断する（ステップＳ３１）。まだ設定されていなければ、次に防犯１モードまたは防犯２モードのいずれかが設定されているかを判断し（ステップＳ３２）、設定されていなければ防犯外出モードの設定および起動タイマーのセットを行う（ステップＳ３３，Ｓ３４）。
【００３７】
既に防犯外出モードに設定されている場合は、暗証番号を入力しなければ解除されないので、処理を終了する。また、防犯１，２モードに設定されている場合も、このモードが解除されなければ防犯外出モードの設定は行わないので、処理を終了する。
【００３８】
（テンキーの押下）
次に、図６〜図７に示すフローチャート図を参照してテンキー１０が押下された場合の動作について説明する。テンキー１０は防犯外出モードを解除するための暗証番号の入力または暗証番号を登録するための操作子である。
【００３９】
制御部２はテンキー１０が押下されたことを検出すると、外出モードを解除するための暗証番号の入力か（ステップＳ４１）、それとも暗証番号登録モード時の録暗証番号の入力かを判断する（ステップＳ４２）。いずれのモードでもなければ処理を終了する。
【００４０】
外出モードであれば、押下されたテンキー１０の数値は暗証番号であるので、１桁目の入力かを桁数カウンタで判断する（ステップＳ４３）。桁数カウンタがゼロであれば１桁目であるので、暗証番号入力タイマーをセットする（ステップＳ４４）。このタイマーは一定時間内に暗証番号（この例では４桁）が入力されるように監視するためのもので、時間内に入力されなければクリアされる。
【００４１】
次に、押下されたテンキー１０の数値を記憶し（ステップＳ４５）、桁数カウンタを＋１する（ステップＳ４６）。２桁目以降についても同様の処理を行う（ステップＳ４５，Ｓ４６）。
【００４２】
次いで、入力された数値が１〜３桁目であれば（ステップＳ４７）、処理を終了する。入力された数値が４桁目であれば、４桁の数値を暗証番号メモリ１２に記憶されている４桁の暗証番号と比較する（ステップＳ４８）。その結果、両数値が一致していれば（ステップＳ４９）、正しい暗証番号が入力されたことになるので防犯外出モードを解除する（ステップＳ５０）。警報音が発生していれば停止し、起動タイマーや警報タイマーがセットされていればリセットする。
【００４３】
次いで、暗証番号入力タイマーをリセットし、記憶した数値をクリアし、桁数カウンタをリセットし（ステップＳ５１）、処理を終了する。この処理は４桁の暗証番号が一致しない場合も行う。従って、５桁目以降の入力は再び１桁目からの処理になる。
【００４４】
暗証番号登録モードであれば（ステップＳ４２）、押下されたテンキー１０の数値は４桁の暗証番号の１桁目の入力かを桁数カウンタで判断する（ステップＳ５２）。桁数カウンタがゼロであれば１桁目であるので、暗証番号登録タイマーをセットする（ステップＳ５３）。このタイマーは一定時間内に４桁の暗証番号が登録されるように監視するためのもので、時間内に入力されなければ登録モードが解除される。
【００４５】
次いで、押下されたテンキー１０の数値を記憶し（ステップＳ５４）、桁数カウンタを＋１する（ステップＳ５５）。１桁目でなければ５桁目か判断し（ステップＳ５６）、５桁目でなければ２〜４桁目であるのでステップＳ５４〜Ｓ５５の処理を行う。
【００４６】
次いで、入力された数値が１〜３桁目であれば（ステップＳ５７）、処理を終了する。４桁目であれば暗証キー１１の押下によって入力された４桁の暗証番号を暗証番号メモリ１２に格納するために、登録待機フラグをセットし（ステップＳ５８）、処理を終了する。
【００４７】
押下されたテンキー１０の数値が５桁目の場合は（ステップＳ５６）、桁数が超過したので暗証番号登録タイマーをリセットし、記憶した数値をクリアし、桁数カウンタをリセットし、登録待機フラグをリセットし（ステップＳ５９）、１桁目からの入力処理とする（ステップＳ５２）。
【００４８】
（暗証キーの押下）
次に、図８に示すフローチャート図を参照して暗証キー１１が押下された場合の動作について説明する。暗証キー１１は暗証番号を登録する暗証番号登録モードの設定および解除と、登録モード時に入力された暗証番号を暗証番号メモリ１２に格納するための操作子である。
【００４９】
制御部２は暗証キー１１が押下されたことを検出すると、暗証番号登録モードか設定されているか判断する（ステップＳ６１）。設定されていなければ、警報発生中でないこと、および後述する警報タイマーがセットされていないことを条件に（ステップＳ６２，Ｓ６３）、暗証番号登録モードに設定する（ステップＳ６４）。警報発生中または警報タイマーセット中に暗証番号の登録を禁止することは、侵入者が暗証番号を変更して警報を解除することを防止する。
【００５０】
既に暗証番号登録モードが設定されていれば、登録待機フラグがセットされているか判断し（ステップＳ６５）、セットされていればステップＳ５４で記憶された４桁の数値を暗証番号として暗証番号メモリ１２に格納し（ステップＳ６６）、暗証番号登録モードを解除する（ステップＳ６７）。同時に暗証番号登録タイマーをリセットし、記憶した数値をクリアし、桁数カウンタをリセットし、登録待機フラグをリセットする。
【００５１】
登録待機フラグがセットされていない場合は、暗証キー１１の再押下になるので、直ちに暗証番号登録モードを解除する（ステップＳ６７）。この場合も同時に暗証番号登録タイマーをリセットし、記憶した数値をクリアし、桁数カウンタをリセットする。
【００５２】
（センサの作動）
次に、図９に示すフローチャート図を参照して防犯センサ３が作動した場合の動作について説明する。
【００５３】
制御部２は防犯センサ３が作動したことを検出すると、防犯１モードであれば（ステップＳ７１）、警報音出力部６を制御してブザー５を鳴動させ警報音を発生する（ステップＳ７２）。
【００５４】
防犯２モードであれば（ステップＳ７３）、制御部２は起動タイマーがセットされているか判断し（ステップＳ７４）、セットされていれば防犯モードがまだ起動されていないので、処理を終了する。
【００５５】
起動タイマーがセットされていなければ、警報タイマーがセットされているか判断し（ステップＳ７５）、セットされていれば、すでに他の防犯センサ３が作動して警報タイマーがセットされているので、処理を終了する。警報タイマーセットされていなければ警報タイマーをセットする（ステップＳ７６）。警報タイマーは警報発生を一定時間遅らせるためのものである。
【００５６】
防犯外出モードであれば（ステップＳ７７）、制御部２は起動タイマーがセットされているか判断し（ステップＳ７８）、セットされていれば防犯モードがまだ起動されていないので、処理を終了する。
【００５７】
起動タイマーがセットされていなければ、作動した防犯センサ３がドア用か窓用かを判断し（ステップＳ７９）、窓用であればステップＳ７２の処理に移行して警報を発生する（ステップＳ７２）。ドア用であればステップＳ７５の処理に移行する。いずれの防犯モードも設定されていなければ（ステップＳ７７）、処理を終了する。
【００５８】
（タイマー割込み）
次に、図１０〜図１１に示すフローチャート図を参照して単位時間毎の各タイマーの動作について説明する。
【００５９】
制御部２は所定の単位時間毎（例えば１分毎）に各タイマーにセットされている時間をデクリメントする。まず、防犯２モードの起動タイマーがセットされていれば（ステップＳ８１）、同タイマーの値をデクリメントして（ステップＳ８２）、タイムアップか判断する（ステップＳ８３）。タイムアップであれば防犯２モードを起動し、起動タイマーをリセットする（ステップＳ８４）。タイムアップでなければステップＳ８４はジャンプする。
【００６０】
また、防犯外出モードの起動タイマーがセットされているならば（ステップＳ８５）、同タイマーの値をデクリメントし（ステップＳ８６）、タイムアップか判断する（ステップＳ８７）。タイムアップであれば防犯外出モードを起動し、起動遅延タイマーをリセットする（ステップＳ８８）。タイムアップでなければステップＳ８８はジャンプする。
【００６１】
次に、暗証番号入力タイマーがセットされていれば（ステップＳ８９）、同タイマーの値をデクリメントし（ステップＳ９０）、タイムアップか判断する（ステップＳ９１）。
【００６２】
タイムアップであれば一定時間内に防犯外出モードを解除する４桁の暗証番号が入力されなかったことになるので、暗証番号入力タイマーをリセットし、記憶した数値をクリアし、桁数カウンタをリセットする（ステップＳ９２）。タイムアップでなければステップＳ９２はジャンプする。
【００６３】
また、暗証番号登録タイマーがセットされていれば（ステップＳ９３）、同タイマーの値をデクリメントし（ステップＳ９４）、タイムアップか判断する（ステップＳ９５）。タイムアップであれば一定時間内に登録する４桁の暗証番号が入力されなかったことになるので、登録モードを解除する（ステップＳ９６）。同時に暗証番号登録タイマーをリセットし、記憶した数値をクリアし、桁数カウンタをリセットし、登録待機フラグをリセットする（ステップＳ９６）。タイムアップでなければステップＳ９６はジャンプする。
【００６４】
次に、警報タイマーがセットされていれば（ステップＳ９７）、同タイマーの値をデクリメントし（ステップＳ９８）、タイムアップか判断する（ステップＳ９９）。タイムアップであれば警報音出力部６を制御してブザー５を鳴動させ、警報タイマーをリセットして（ステップＳ１００）、処理を終了する。タイムアップでなければステップＳ１００はジャンプする。
【００６５】
（他の実施の形態）
なお、前述の実施の形態では、防犯外出モードが設定された後は、暗証番号が入力されなければ解除できないようにしたが、防犯センサが作動する前であれば外出キーの再押下で解除できるようにしてもよい。こうすることで在宅者がいる場合は解除が容易に行える。
【００６６】
また、前述の実施の形態では、暗証番号の入力によって防犯外出モードを解除するようにしたが、暗証番号の入力に続いて防犯１キーまたは防犯２キーが押下されなければ解除されないようにしてもよい。こうすることで解除時の機密性をさらに高めることができる。
【００６７】
また、前述の実施の形態では、暗証番号の入力によって防犯外出モードを解除する際に、誤った暗証番号が入力されたときは、暗証番号入力タイマーがタイムアップするまで繰り返し入力することができるが、防犯センサの作動後に誤った暗証番号が複数回入力されたときは、侵入者による操作を考慮して暗証番号の登録変更を一定時間禁止するようにしてもよい。
【００６８】
【発明の効果】
以上のように本発明によれば、設定および解除が簡易な第１の防犯モードと、暗証番号の入力によって解除する比較的解除が困難な第２の防犯モードとを選択でき、例えば家人の在宅時は第１の防犯モードに設定し、外出時は第２の防犯モードに設定することができる。加えて、本発明によれば、所定桁数の暗証番号を入力した後に、第１の防犯モード入力手段を押下することで第２の防犯モードを解除するので、第２の防犯モードの解除をさらに困難にすることができる。
【００６９】
また、設定した第２の防犯モードの解除を、防犯センサ作動前は第２の防犯モード入力手段（外出キー）で解除し、防犯センサ作動後は暗証番号の入力によって解除するので、第２の防犯モード設定後に在宅者が居る場合は、煩わしい暗証番号を入力することなく解除することができる。加えて、本発明によれば、所定桁数の暗証番号を入力した後に、第１の防犯モード入力手段を押下することで第２の防犯モードを解除するので、第２の防犯モードの解除をさらに困難にすることができる。
【００７０】
また、本発明によれば、設定した第２の防犯モードを解除する暗証番号の登録は、第２の防犯モード設定中に防犯センサが作動した後は禁止するので、侵入者が暗証番号を変更して第２の防犯モードを解除するのを阻止できる。加えて、本発明によれば、所定桁数の暗証番号を入力した後に、第１の防犯モード入力手段を押下することで第２の防犯モードを解除するので、第２の防犯モードの解除をさらに困難にすることができる。
【００７１】
また、本発明によれば、防犯モード設定後一定時間遅延してから防犯センサの作動を検出するので、玄関ドアのような家人が出入りする場所に取り付けたセンサは、家人の出入りを考慮して一定時間遅延してから作動するようにすることができ、家人は防犯モードの設定後、この遅延時間内に外出することができる。
【００７２】
また、本発明によれば、防犯センサ作動後一定時間遅延してから警報を発するので、玄関ドアのような家人が出入りする場所に取り付けたセンサによる警報は家人の出入りを考慮して一定時間遅延してから作動するようにし、家人はこの遅延時間内に防犯モードを解除することができる。
【００７４】
また、本発明によれば、第２の防犯モード設定中に防犯センサが作動した後に暗証番号入力手段から不正な暗証番号が所定の回数入力されたときは、暗証番号の変更登録を禁止するので、侵入者が暗証番号を変更して第２の防犯モードを解除するのを阻止できる。
【図面の簡単な説明】
【図１】本発明による防犯装置の一実施の形態を示すブロック図
【図２】本発明による防犯装置の一実施の形態を示す操作パネルの正面図
【図３】防犯１キーが押下された場合の動作を示すフローチャート図
【図４】防犯２キーが押下された場合の動作を示すフローチャート図
【図５】外出キーが押下された場合の動作を示すフローチャート図
【図６】テンキーが押下された場合の動作を示すフローチャート図（１）
【図７】テンキーが押下された場合の動作を示すフローチャート図（２）
【図８】暗証キーが押下された場合の動作を示すフローチャート図
【図９】センサ作動時の動作を示すフローチャート図
【図１０】タイマー割込み時の動作を示すフローチャート図（１）
【図１１】タイマー割込み時の動作を示すフローチャート図（２）
【符号の説明】
１  防犯装置
２  制御部
３  防犯センサ
４  センサ入力部
５  ブザー
６  警報音出力部
７  防犯１キー
８  防犯２キー
９  外出キー
１０  テンキー
１１  暗証キー
１２  暗証番号メモリ
【図１】
0004131037.tif 000002
【図２】
0004131037.tif 000003
【図３】
0004131037.tif 000004
【図４】
0004131037.tif 000005
【図５】
0004131037.tif 000006
【図６】
0004131037.tif 000007
【図７】
0004131037.tif 000008
【図８】
0004131037.tif 000009
【図９】
0004131037.tif 000010
【図１０】
0004131037.tif 000011
【図１１】
0004131037.tif 000012